(57)【特許請求の範囲】
【請求項１】
円形状の開口部と矩形状の収納部を有する容器本体と、該開口部に螺着する蓋体からなる顕微鏡観察標本を収納する樹脂製の容器であって、長辺内側面に支持凸部が列設され、開口部外側下方に把持突縁部が蓋体の外側に突出するように周設されるとともに、収納部の長辺外面に転倒防止部材が設けられていることを特徴とする顕微鏡観察標本用容器。
【請求項２】
隣接する支持凸部の間隔に、下部が狭く上部が広いテーパが付けられていることを特徴とする請求項１に記載の顕微鏡観察標本用容器。
【請求項３】
支持凸部が収納部の全高に亘って設けられていることを特徴とする請求項１又は２記載の顕微鏡観察標本用容器。
【請求項４】
支持凸部が収納部の底面から1 ／２〜２／３の高さまで設けられていることを特徴とする請求項１又は請求項２に記載の顕微鏡観察標本用容器。
【請求項５】
支持凸部の上端及び／又は収納部の上端が面取り又はアール処理されていることを特徴とする請求項１乃至請求項４のいずれか１項に記載の顕微鏡観察標本用容器。
【請求項６】
転倒防止部材が長辺側外面の両端部付近に突設されていることを特徴とする請求項１乃至請求項５のいずれか１項に記載の顕微鏡観察標本用容器。
【請求項７】
樹脂が透明材料であることを特徴とする請求項１乃至請求項６のいずれか１項に記載の顕微鏡観察標本用容器。
【発明の詳細な説明】
【技術分野】
【０００１】
本発明は病理組織や生物学的液体（血液や尿など）等の検体がスライドガラス上に固定されてなる顕微鏡観察用標本を収容するための顕微鏡観察標本用容器に関し、特にコンパクトサイズで多くの標本を収容することができ、かつ容易に密閉することができる顕微鏡観察標本用容器に関するものである。
【背景技術】
【０００２】
従来から、病理組織の切片が固定され、又は、生物学的液体が塗布されたスライドガラスからなる標本は、アルコールやホルマリンの中に浸して保存されていた。そのための容器としては例えば特許文献１に記載されたような水密性容器がある。これは標本を充分に保護でき、さらに蓋を容器に螺合させるようになっているため容易に密封できる点で好ましい容器である。しかし、複数の標本をこの容器に入れるとお互いに衝突して破損するおそれがあるという欠点がある。
【特許文献１】特開２００１−２１０９号
【０００３】
この点を改良して、現在では図１４に示すような、断面略正方形の穴が穿設された外形が円筒状容器の内側にいくつかの支持凸部を設けた容器が用いられている。これは支持凸部の間に標本を挿入することにより、標本同士が衝突することもなく、容易に持ち運ぶことができる。しかしながら、少数の標本（図１４の従来例では４枚）しか収納できないという問題があり、主として、少数の標本を携帯する目的で使用されているにすぎない。
【０００４】
ここで、最近ではもっとたくさんの標本を収容でき、容易に持ち運ぶことができる顕微鏡観察標本用容器が望まれてきている。しかし、現在使用されている図１４の顕微鏡観察標本用容器をそのまま大型化すると、収納部の側部（図１５の破線矢印参照）が非常に厚くなってしまい、収納量の割には容器のサイズが過大に大きくなり、持ち運びや保存が却って困難になってしまう。また、材料面での無駄も無視できない。
【０００５】
そこで、このような問題を解決せんとして、図１６に示したようなものがある。これはガラス製で、断面が矩形になっており一列に標本を並べるようになっている。この場合には、上記したサイズが過大となる問題は解消されるものの、矩形であるため円形の場合のように蓋を螺着して容易に密封するということが不可能である。従って、この容器ではこれを密封するときに、蓋と容器とを引っ掛けタイプの止め具を使用する必要があり、構造が複雑になるばかりでなく、作業が煩雑である。また、矩形であるため長辺方向に沿った力に対しては安定であるものの、短辺方向に沿った力に対しては不安定で転倒し易く、開蓋状態で転倒した場合には貴重な標本が台無しになる虞れがある。また、ガラス製であるため、重くて持ち運びに不便であるという欠点もある。
【発明の開示】
【発明が解決しようとする課題】
【０００６】
本発明は、かかる実情に鑑み、上記従来の問題を解消し、標本の収納量が大きくかつコンパクトであり、また転倒し難く、密封が容易である顕微鏡観察標本用容器を提供することを目的とする。
【課題を解決するための手段】
【０００７】
上記課題を解決するための請求項１に係る本発明は、円形状の開口部と矩形状の収納部を有する容器本体と、該開口部に螺着する蓋体からなる顕微鏡観察標本を収納する樹脂製の容器であって、長辺内側面に支持凸部が列設され、開口部外側下方に把持突縁部が蓋体の外側に突出するように周設されるとともに、収納部の長辺外面に転倒防止部材が設けられていることを特徴とする顕微鏡観察標本用容器を内容とする。
【０００８】
請求項２に係る発明は、隣接する支持凸部の間隔に、下部が狭く上部が広いテーパが付けられていることを特徴とする請求項１に記載の顕微鏡観察標本用容器を内容とする。
【０００９】
請求項３に係る発明は、支持凸部が収納部の全高に亘って設けられていることを特徴とする請求項１又は２記載の顕微鏡観察標本用容器を内容とする。
【００１０】
請求項４に係る発明は、支持凸部が収納部の底面から1 ／２〜２／３の高さまで設けられていることを特徴とする請求項１又は請求項２に記載の顕微鏡観察標本用容器を内容とする。
【００１１】
請求項５に係る発明は、支持凸部の上端及び／又は収納部の上端が面取り又はアール処理されていることを特徴とする請求項１乃至請求項４のいずれか１項に記載の顕微鏡観察標本用容器を内容とする。
【００１２】
請求項６に係る発明は、転倒防止部材が長辺側外面の両端部付近に突設されていることを特徴とする請求項１乃至請求項５のいずれか１項に記載の顕微鏡観察標本用容器を内容とする。
【００１３】
請求項７に係る発明は、樹脂が透明材料であることを特徴とする請求項１乃至請求項６のいずれか１項に記載の顕微鏡観察標本用容器を内容とする。
【発明の効果】
【００１４】
本発明の顕微鏡観察標本用容器は、開口部には蓋体を螺着できシール性（密封）の容易な円形状を採用するとともに、標本の収納部にはコンパクトなサイズ、形状で効率的に標本を収納できる矩形状を採用したことを特徴とするものである。更に、上記ユニークな形状から来る安定性に対する問題を転倒防止材により解消したことを特徴とするものである。
即ち、開口部が円形状で、かつ開口部に蓋体が螺着するようになっているため、容器密閉のための作業が容易であるという利点がある。また収納部が矩形状で、かつ支持凸部が列設されているため、コンパクトなサイズ、形状で多数の標本を安全に収容することができ、しかもサイズが過大とならないという利点がある。さらに、開口部外側下方に把持突部が蓋体の外側に突出するように周設されているため、該突縁部に指を掛けることができ、取り扱い性が高められるという利点がある。さらに、転倒防止部材が設けられているため、不用意に転倒することがなく、安全に標本の収容又は取り出し作業ができ、さらにまた、樹脂製であるから軽量であり持ち運びがしやすいという利点がある。
【００１５】
請求項２に係る発明の顕微鏡観察標本用容器は、隣接する支持凸部の間隔に下部が狭く上部が広いテーパが付けられているため、入り口が広くなって標本の収納又は取り出し作業がしやすくなるという利点がある。
【００１６】
請求項３に係る発明の顕微鏡観察標本用容器は、支持凸部が収納部の高さの全面に亘って設けられているので、標本を極めて安定的に収納できるという利点がある。
【００１７】
請求項４に係る発明の顕微鏡観察標本用容器は、支持凸部が収納部の底面から1 ／２〜２／３の高さであるため、標本を収納又は取り出しやすいという利点がある。
【００１８】
請求項５に係る発明の顕微鏡観察標本用容器は、支持凸部の上端及び／又は収納部の上端が面取り又はアール処理されているため、標本上の検体が損傷しにくく、標本の収納又は取り出しが容易であるという利点がある。
【００１９】
請求項６に係る発明の顕微鏡観察標本用容器は、転倒防止部材が長辺側外面の両端部付近に突設されているため、顕微鏡観察標本用容器がより倒れにくいという利点がある。
【００２０】
請求項７に係る発明の顕微鏡観察標本用容器は、樹脂が透明材料であるため、標本の有無が外観から判断でき、作業性が向上するという利点がある。
【発明を実施するための最良の形態】
【００２１】
次に、本発明の顕微鏡観察標本用容器を図面に基づいて説明する。
なお、図１は実施例１の一部切除正面図、図２はその一部切除平面図、図３はその一部切除側面図、図４はその底面図である。
図５は実施例２の一部切除正面図、図６はその一部切除平面図、図７はその一部切除側面図、図８はその底面図である。
図９は実施例３の一部切除正面図、図１０はその一部切除平面図、図１１はその一部切除側面図、図１２はその底面図である。
図１３は実施例４の底面図である。
また、図中、１は本発明の顕微鏡観察標本用容器を、２は収納部を、２ａは短辺側を、２ｂは長辺側を、３は支持凸部を、４は転倒防止部材を、５は開口部を、５ａは把持突縁部を、６は蓋体を、６ａはシール材を、７は凹部を、Ｓは標本をそれぞれ表す。
【００２２】
本発明の顕微鏡観察標本用容器１は容器本体と蓋体６からなる。容器本体は収納部２と開口部５を有する。検体を固定した標本Ｓはアルコールやホルマリンなどの保存用の薬液で満たされた収納部２内に挿入されて、保存、運搬される。
【００２３】
収納部２は断面形状が矩形状の箱型である。ここで矩形状とは厳密な意味での矩形である必要はなく、角はアール処理などされていてもよいし、短辺側２ａ又は長辺側２ｂは装飾等のためある程度の曲面とされていてもよい。つまり、標本Ｓの表面及び裏面を短辺側２ａに向けて、長辺の方向に並べて保存できる形状であればここで言う矩形状に当てはまる。
【００２４】
長辺側２ｂの両内壁には支持凸部３が列設されている（図２、図６、図１０参照）。標本Ｓはその側部を支持凸部３の間に入れて収納される。これにより標本Ｓは立った状態で保存され、かつ支持凸部３を挟んで収納された標本Ｓがお互いに衝突することがなく、検体が損傷することがない。
【００２５】
短辺側２ａには収納部２の内壁と検体との衝突を防ぐための構造が設けられていてもよい。例えば標本Ｓの中央（通常、ここに検体が固定される）と内壁が衝突しないよう、凹部を設けることもできる。具体例として図２には支持凸部３を短辺側２ａ内壁と連続して設けることにより短辺側２ａ内壁に凹部７を設けた例を示す。これにより標本Ｓの表面を壁側に向けたとしても検体が壁面との衝突により損傷することがない。なお、壁面の凹部は任意の構成であり、凹部が設けられていない顕微鏡観察標本用容器１（図６又は図１０参照）であっても本発明の技術的範囲に含まれることは云うまでもない。この場合、標本Ｓはその裏面（標本が存在しない側）を壁側に向けて保存するほうが好ましい。
【００２６】
隣接する支持凸部３の間隔に下部が狭く上部が広いテーパを付ける、即ち支持凸部３の幅に上側で狭く下側で広いテーパを付けることができる。標本Ｓは支持凸部３の間に上方から挿入するため、かかるテーパを付けると入り口が広くなり、標本Ｓの収納や取り出しがしやすくなる。
【００２７】
支持凸部３の高さは、通常、収納部２の高さの全面に設けられ、これにより標本が安定的に収納されるが、支持凸部３を収納部２の底面から1 ／２〜２／３の高さに設けることもできる。このようにすることにより、標本Ｓの収納時に、標本Ｓを持つ手を高く掲げる必要がなくなるとともに、標本Ｓを収納又は取り出す際に、標本Ｓを傾けられる角度が大きくなるので作業が容易となる。ここで支持凸部３の高さが２／３を超えた場合は、収納部２の高さと同じとした場合と比較し大差がない。また、１／２未満であるとその上端は標本Ｓの重心よりも低くなってしまうため、標本Ｓを充分支えきれず不安定となるおそれがあるため好ましくない。
【００２８】
支持凸部３の上端は、アール処理（図１参照）または面取り（図５参照）がされていることが好ましい。これは、支持凸部３の角に標本Ｓが衝突して検体が損傷することを防ぐためである。また、収納部２の上端、即ち収納部２と開口部５の境目にもアール処理又は面取りをすると好ましい。収納部２の角に標本Ｓが衝突して検体が損傷することを防ぐためである。
【００２９】
支持凸部３の高さ（突出高さ）は、支持凸部と支持凸部との間に標本を安定的に保持できる程度であればよく、通常、２〜５ｍｍ程度である。
支持凸部３の間隔は特に限定されないが、標本Ｓが１枚（図２参照）、又は２枚（図６参照）入る程度が望ましい。標本Ｓの表面同士が衝突しないようにできるからである。なお、ひとつの間隙に２枚の標本Ｓを入れる場合はお互いを裏面（検体が存在しない面）で合わせるようにすればよい。また、３枚以上（図１０参照）入る程度の間隔としてもよい。
【００３０】
本発明の顕微鏡観察標本容器には転倒防止部材４が設けられる。本発明の顕微鏡観察標本用容器１における収納部２は断面が矩形状の箱型であり、収納部２の上部に断面が円形状の筒型である開口部５が設けられている。このため重心が高く、短辺側２ａからは非常に安定で倒れにくいが、長辺側２ｂからは倒れやすい。これを防ぐため、長辺側２ｂの両外面には転倒防止部材４が設けられている。これにより、顕微鏡観察標本用容器１の転倒が防がれる。
【００３１】
転倒防止部材４の形状は顕微鏡観察標本用容器１の転倒を防止できる形状であれば特に限定されないが、例えば長辺側２ｂの両端部から外面と直交する方向に突設された板状部材が例示できる（図１、図４等参照）。この場合、転倒防止部材４の間隔が最も広くなって安定性が増し、顕微鏡観察標本用容器がより倒れにくいため好ましい。
転倒部材４の突設長さは大きい程転倒防止効果は大きくなるが、外観上及び取り扱い性の面では好ましくないので、円形状の開口部の範囲内、又は把持突縁部を設ける場合は把持突縁部の範囲内とするのが好ましい。
【００３２】
また、この転倒防止部材４を収納部２の半分ほどの高さである２枚の板状部材とすることもできる（図５、図７参照）。この場合、必要に応じ、この転倒防止部材４を標本Ｓの仮置用の台としても使用できる。
【００３３】
さらに、長辺側２ｂの下辺中央部から突出される棒状部材（図９、図１２参照）、外面に直交する方向に突設された三角形の板状部材（図示せず）、棒状部材の先端から横設された弧状部材（図１３）とすることもできる。
【００３４】
開口部５は断面形状が円形状の筒状部材であり、その外周にはねじ山が螺刻されている。即ち、顕微鏡観察標本用容器１を密閉するには単に蓋体６を開口部５に螺着させるだけでよく、極めて容易である。
【００３５】
開口部５の外側下方には把持突縁部５ａを蓋体の外側に突出するように周設する。この把持突縁部５ａに指を掛けることができるので作業性が高められる。また、把持突縁部５ａを片手で持って蓋体６を螺着したり螺離することもできる。
【００３６】
把持突縁部５ａの形状は特に限定されないが、図１〜図１２に示す実施例のようにリング状の平板をつけるのが好ましい。顕微鏡観察標本用容器１がどのような置き方をされていても好適に把持突縁部５ａに指を掛けることができるからである。
【００３７】
蓋体６の裏面にはシール材６ａが設けられる。シール材６ａの形状は開口部５と蓋体６の間を密閉できる限り特に限定されず、図１に示すＯリング型、図５に示す平板リング型、図９に示す円盤型などさまざまな形状が採用できる。
その材質も特に限定されず、軟質塩化ビニル、軟質ポリエチレン等の軟質プラスチック、シリコーンゴム、天然ゴム等のエラストマーなどが例示できる。
【００３８】
本発明の顕微鏡観察標本用容器は造形性や軽量化を考慮して樹脂製である。使用できる樹脂としては特に限定されないが、ポリエチレン、ポリプロピレン等のポリオレフィン樹脂、ポリスチロール樹脂、塩化ビニル樹脂、ポリエステル樹脂、ポリアミド樹脂、ＡＢＳ樹脂、ＡＳ樹脂、ポリアセタール樹脂等が挙げられる。
また、透明な樹脂を使用するとより好ましい。標本Ｓの有無や検体の種類を外観から判断することができ、作業性が向上するからである。透明材料としては、特に限定されないがポリプロピレン、ポリアミド樹脂、ポリエステル樹脂、ポリアセタール樹脂等が例示できる。
【実施例】
【００３９】
以下、本発明を実施例に基づいて更に詳細に説明するが、本発明はかかる実施例のみに限定されないことは云うまでもない。
【００４０】
実施例１
図１乃至図４に本発明の顕微鏡観察標本用容器１の実施例１を示す。実施例１は矩形状の収納部２と円形状の開口部５を有しており、開口部５に蓋体６が螺着している。開口部５の下方には平板リング状の把持突縁部５ａが蓋体６の外側に突出するように設けられているため、この把持突縁部５ａに指を掛けて持ち運びでき、また、これを押さえながら蓋体６を回わすことにより、強く締め付けることができ密封しやすく、また、蓋体６を取外しやすい。
収納部２の長辺側２ｂの両端部から転倒防止部材４が突設されているため（図４参照）、顕微鏡観察標本用容器１はより倒れにくくなっている。なお転倒防止部材４は開口部５の下面にまで延設されているため、顕微鏡観察標本用容器１の強度増強にも役立っている。
【００４１】
図２に示すように収納部２の長辺側２ｂ内壁には片面あたり１１個の支持凸部３が列設されている。支持凸部３の間隔は標本Ｓが１枚入る程度なので、合計１０枚の標本Ｓを収納できる。また支持凸部３の上端はアール処理されているため、ここに標本Ｓがぶつかったとしても衝撃は少なく、検体を損傷する危険が減少する。なお、収納部２の上端、即ち開口部５との境目にもアール処理がされており、衝突による検体損傷の危険性はさらに低くなっている。
【００４２】
支持凸部３の間隙には、図３に示す通り、下部が狭く上部が広いテーパが付けられている。つまり入り口が広くなっているため標本Ｓを支持凸部３の間に入れやすく、また取り出しやすい。また支持凸部３の間隙に入る標本Ｓは１枚であるので標本Ｓ同士が衝突することがなく、最も安全に保存、運搬をすることができる。
【００４３】
なお、実施例１は不透明な材質の場合であるが、材質を透明材料に変更すると標本Ｓの有無や検体の種類を視認でき、作業性が向上するためより好ましい。
【００４４】
実施例２
図５乃至図８に本発明の顕微鏡観察標本用容器１の実施例２を示す。実施例２は収納部２の長辺側２ｂのやや内側から転倒防止部材４が突設されている（図８参照）。本実施例では転倒防止部材４の高さは収納部２の半分ほどとなっており、必要に応じ、その上に標本Ｓを仮置きできるようになっているため作業性が向上する。なお、この実施例にも平板リング状の把持突縁部５ａが設けられ、取り扱い性、蓋体６の螺着又は螺離が容易となっている。
【００４５】
図６に示すように収納部２の長辺側２ｂ内壁には片面あたり７個の支持凸部３が列設されている。本実施例では支持凸部３の間隔は標本Ｓが２枚入る程度に設計されているので、合計１６枚の標本Ｓを収納できる。この場合、標本Ｓの裏面同士を合わせて収納することにより検体が隣り合う標本Ｓと衝突することを防止でき、安全かつより多数の標本Ｓを保存、運搬することができる。また支持凸部３の上端は面取りされているため、ここに標本Ｓがぶつかったとしても衝撃は少なく、検体を損傷する危険が減少する。
【００４６】
支持凸部３の間隙には、図７に示す通り、下部が狭く上部が広いテーパが付けられている。つまり入り口が広くなっているため標本Ｓを支持凸部３の間に入れやすく、また取り出しやすい。
【００４７】
なお、実施例２では支持凸部３の高さは収納部２の底面から約２／３の高さとなっている。この程度の高さとすることにより、標本Ｓを支持凸部３の間に挿入したり取り出す際に手を高く上げる必要がなく、また、標本Ｓの傾斜角度の自由度が大きくなるので標本Ｓの収納又は取り出しが容易である。
【００４８】
実施例３
図９乃至図１２に本発明の顕微鏡観察標本用容器１の実施例３を示す。実施例３は収納部２の長辺側２ｂの下部中央から棒状の転倒防止部材４が突設されているため（図１２参照）、実施例１、実施例２と比較するとやや安定性に欠けるが、それでも通常の使用をする分には十分な安定性を有する。また、転倒防止部材４自体の体積は最も小さいため、安価かつ軽量の顕微鏡観察標本用容器１を得ることができる。
【００４９】
図１０に示すように収納部２の長辺側２ｂ内壁には片面あたり５個の支持凸部３が列設されている。本実施例では支持凸部３の間隔は標本Ｓが３枚入る程度に設計されており、合計１８枚の標本Ｓを収納できる。
【００５０】
支持凸部３の間隙には、図１１に示す通り、下部が狭く上部が広いテーパが付けられている。つまり入り口が広くなっているため標本Ｓを支持凸部３の間に挿入しやすく、また取り出しやすい。また支持凸部３の間隙に入る標本Ｓは３枚であるので、多数の標本Ｓを保存、運搬することができる。
【００５１】
なお、実施例３では支持凸部３の高さは収納部２の底面から約１／２となっている。この程度の高さであると収納や取り出しがしやすく、かつ収納した標本Ｓが倒れるおそれがない。
【００５２】
実施例４
図１３に本発明の顕微鏡観察標本用容器１の実施例４を示す。実施例４における転倒防止部材４は、収納部２の長辺側２ｂから突設された棒状部材の先端から円弧状部材を横設したものである。この円弧状部材により、安定性が一層高められる。
【産業上の利用可能性】
【００５３】
叙上のとおり、本発明の顕微鏡観察標本用容器は、コンパクトなサイズ、形状であるにも拘らず、多数の標本を収納でき、かつ密封が容易であるので、特に、病院など、大量の検体を検査する場合に、頗る有用性が高いものである。
【図面の簡単な説明】
【００５４】
【図１】実施例１の一部切除正面図である。
【図２】実施例１の一部切除平面図である。
【図３】実施例１の一部切除側面図である。
【図４】実施例１の底面図である。
【図５】実施例２の一部切除正面図である。
【図６】実施例２の一部切除平面図である。
【図７】実施例２の一部切除側面図である。
【図８】実施例２の底面図である。
【図９】実施例３の一部切除正面図である。
【図１０】実施例３の一部切除平面図である。
【図１１】実施例３の一部切除側面図である。
【図１２】実施例３の底面図である。
【図１３】実施例４の底面図である。
【図１４】従来の顕微鏡観察標本用容器の説明図である。
【図１５】従来の顕微鏡観察標本用容器の欠点を表す説明図である。
【図１６】従来の顕微鏡観察標本用容器の説明図である。
【符号の説明】
【００５５】
１  顕微鏡観察標本用容器
２  収納部
２ａ  短辺側
２ｂ  長辺側
３  支持凸部
４  転倒防止部材
５  開口部
５ａ  把持突縁部
６  蓋体
６ａ  シール材
７  凹部
Ｓ  標本
Ａ  従来の顕微鏡観察標本用容器
【図１】
0004820214.tif 000002
【図２】
0004820214.tif 000003
【図３】
0004820214.tif 000004
【図４】
0004820214.tif 000005
【図５】
0004820214.tif 000006
【図６】
0004820214.tif 000007
【図７】
0004820214.tif 000008
【図８】
0004820214.tif 000009
【図９】
0004820214.tif 000010
【図１０】
0004820214.tif 000011
【図１１】
0004820214.tif 000012
【図１２】
0004820214.tif 000013
【図１３】
0004820214.tif 000014
【図１４】
0004820214.tif 000015
【図１５】
0004820214.tif 000016
【図１６】
0004820214.tif 000017